(57)【特許請求の範囲】
【請求項１】
半導体発光素子と、前記半導体発光素子を覆うキャップと、前記半導体発光素子からの光が外部に放出されるように前記キャップに設けられる透光性部材と、を有する発光装置であって、
少なくとも前記透光性部材と前記キャップとの間に、前記半導体発光素子からの光を反射する反射部材が設けられており、
前記反射部材は、銀を含む第１層と、
前記第１層の少なくとも一部を被覆し、銀と異なる金属を含む第２層と、
前記第１層および前記第２層を被覆し、前記半導体発光素子からの光が透過可能な透過部材を含む第３層と、
を前記キャップ側から順に有していることを特徴とする発光装置。
【請求項２】
前記透光性部材は、前記反射部材の第３層により固着されていることを特徴とする請求項１に記載の発光装置。
【請求項３】
前記キャップの上面には、前記反射部材がさらに設けられていることを特徴とする請求項１又は２に記載の発光装置。
【請求項４】
前記透光性部材は、前記キャップの上面よりも突出するように設けられていることを特徴とする請求項３に記載の発光装置。
【請求項５】
前記透光性部材は、半導体発光素子からの光を異なる波長に変換する波長変換部材、または、半導体発光素子からの光を拡散させる拡散部材、を少なくとも含有することを特徴とする請求項１乃至４のいずれか１つに記載の発光装置。
【請求項６】
半導体発光素子と、前記半導体発光素子を覆うキャップと、前記半導体発光素子からの光が外部に放出されるように前記キャップに設けられる透光性部材と、を有する発光装置であって、
少なくとも前記透光性部材と前記キャップとの間に、前記半導体発光素子からの光を反射する反射部材が設けられており、
前記反射部材は、銀及び銀と異なる金属から構成される合金層と、
前記合金層を被覆し、前記半導体発光素子からの光が透過可能な光透過層と、
を前記キャップ側から順に有していることを特徴とする発光装置。
【発明の詳細な説明】
【技術分野】
【０００１】
本発明は、半導体発光素子を有する発光装置に関し、特に光源からの光を効率よく外部へ取り出すことのできる発光装置に関するものである。
【背景技術】
【０００２】
従来、半導体発光装置は、半導体発光素子からの出射光を効率よく外部へ取り出すことや、耐環境性に優れていること等が求められている。このため様々な開発がなされてきた。
例えば、特許文献１（図１１）には、耐環境性に優れた半導体発光装置が開示されている。具体的には、ステム底部１３０の上面に連結されたステム柱体１２０の側面に、半導体レーザ素子１１０が載置されている。半導体レーザ素子１１０は、ステム底部１３０の下面より延伸されたリード電極１４０と電気的に接続されている。これにより半導体レーザ素子１１０は、リード電極１４０を介して外部電極と接続可能となる。さらに、ステム底部１３０の周縁から上方に向かって、円筒状のキャップ１５０が設けられており、キャップ１５０内には、ステム柱体１２０及び半導体レーザ素子１１０が在する構造となる。キャップ１５０の上方には、環状のキャップ上面１５１が備えられ、その上面の中央部には開口部１５３が形成されている。キャップ１５０に形成された開口部１５３は、キャップ上面１５１を上下に貫通している。キャップ１５０は鉄−ニッケル合金で構成されており、キャップ１５０の表面にはニッケル−燐めっきが施されている。キャップ上面１５１と対向する底面側には、ガラス１６０が低融点ガラスにより固着されている。これにより、キャップ１５０の開口部１５３が封鎖される。
以上の構成により、従来の半導体発光装置は、キャップ１５０が腐食することを防止可能な耐環境性に優れた半導体発光装置とすることができる。
【０００３】
【特許文献１】特開平０７−１７６８２５号公報（特に図１１）
【発明の開示】
【発明が解決しようとする課題】
【０００４】
しかしながら、上記の半導体発光装置では、各波長領域における光反射率が低いニッケル−燐めっきをキャップ１５０の表面に施しているため、半導体発光素子１１０からの光が吸収および散乱されていた。特に、上記の半導体発光装置では、キャップ１５０とガラス１６０との固着部に光が照射される場合があり、半導体発光素子１１０からの光が固着部にて吸収および散乱されていた。このため、この半導体発光装置は、半導体発光素子１１０からの光の取り出し効率が低下してしまう等の問題を有していた。
【０００５】
そこで、本発明は、半導体発光素子からの光を効率良く外部に放出することが可能な発光装置を提供することを目的とする。
【課題を解決するための手段】
【０００６】
本発明によれば、前記課題は次の手段により解決される。
【０００７】
本発明の発光装置は、半導体発光素子と、前記半導体発光素子を覆うキャップと、前記半導体発光素子からの光が外部に放出されるように前記キャップに設けられる透光性部材と、を有する発光装置であって、少なくとも前記透光性部材と前記キャップとの間に、前記半導体発光素子からの光を反射する反射部材が設けられており、前記反射部材は、銀を含む第１層と、前記第１層の少なくとも一部を被覆し、銀と異なる金属を含む第２層と、前記第１層および前記第２層を被覆し、前記半導体発光素子からの光が透過可能な透過部材を含む第３層と、を前記キャップ側から順に有していることを特徴とする。これにより、透光性部材に入射された光を、少なくとも透光性部材とキャップとの間に設けられた光反射部材によって効率良く反射させることができるため、光の取り出し効率を低下させることなく外部に放出することが可能となる。特に、反射率の高い銀を含む第１層の反射率を、第２層及び第３層で低下させることなく、かつ、第１層の劣化を抑制することができるため、高い光取り出し効率を維持することができる。
【０００８】
さらに、前記透光性部材は、前記反射部材の第３層により固着されているのが好ましい。これにより、透光性部材とキャップとの密着性を向上することができ、耐環境性を高めることができる。
また、前記キャップの上面には、前記反射部材をさらに設けることができる。これにより、透光性部材からキャップの外部に放出された光やその戻り光を、キャップの上面で吸収および散乱されること無く反射することができる。
また、前記透光性部材は、前記キャップの上面よりも突出するように設けることができる。これにより、特に透光性部材から外部に放出された光を、キャップの上面で吸収および散乱されること無く反射することができる。
また、前記透光性部材は、半導体発光素子からの光を異なる波長に変換する波長変換部材、または、半導体発光素子からの光を拡散させる拡散部材、を少なくとも含有することができる。これにより、さらに光取り出し効率を向上させることができる。
【０００９】
また、本発明の発光装置は、半導体発光素子と、前記半導体発光素子を覆うキャップと、前記半導体発光素子からの光が外部に放出されるように前記キャップに設けられる透光性部材と、を有する発光装置であって、少なくとも前記透光性部材と前記キャップとの間に、前記半導体発光素子からの光を反射する反射部材が設けられており、前記反射部材は、銀及び銀と異なる金属から構成される合金層と、前記合金層を被覆し、前記半導体発光素子からの光が透過可能な光透過層と、を前記キャップ側から順に有していることを特徴とする。これにより、透光性部材に入射された光を、少なくとも透光性部材とキャップとの間に設けられた反射部材によって効率良く反射させることができるため、光の取り出し効率を低下させることなく外部に放出することが可能となる。特に、銀が合金化されていることによって、銀の劣化を抑制することができる（高い光取り出し効率を維持することができる）と共に、光透過層との密着性をも向上させることができる。
【発明の効果】
【００１０】
本発明によれば、半導体発光素子からの光を効率良く外部に放出することができる。
【００１１】
本発明によれば、透光性部材に入射された光を、少なくとも透光性部材とキャップとの間に設けられた光反射部材によって効率良く反射させることができるため、光の取り出し効率を低下させることなく外部に放出することが可能となる。特に、反射率の高い銀を含む第１層の反射率を、第２層及び第３層で低下させることなく、かつ、第１層の劣化を抑制することができるため、高い光取り出し効率を維持することができる。
【発明を実施するための最良の形態】
【００１２】
以下、本発明に係る半導体発光装置における最良の実施形態（以下「実施形態」という）について詳細に説明する。
【００１３】
また、本明細書は特許請求の範囲に示される部材を、実施形態の部材に特定するものでは決してない。実施形態に記載されている構成部品の寸法、材質、形状、その相対的配置等は、特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細な説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００１４】
＜第一の実施形態＞
図１は、本発明に係る第一の実施形態の発光装置を模式的に示す概略図である。図２は、図１の発光装置に用いられるキャップ５０を拡大して模式的に示す概略図である。
【００１５】
第一の実施形態に係る発光装置は、リード電極４０を有するステム底部３０と、ステム底部３０に設けられるステム柱体２０と、ステム柱体２０に載置される半導体発光素子１０と、半導体発光素子１０を覆うようにステム底部３０に設けられるキャップ５０と、半導体発光素子１０からの光が外部に放出されるようにキャップ５０に設けられる透光性部材６０と、少なくとも透光性部材６０とキャップ５０との間に設けられ、半導体発光素子１０からの光を反射する反射部材７０と、を備えて構成される。
【００１６】
本実施形態において、円盤形状のステム底部３０には、ステム底部３０の下面からリード電極４０が突出するように延伸して設けられている。このリード電極４０は外部電極と電気的に接続可能である。さらに、ステム底部３０の縁周近傍であって、ステム底部３０の上面から垂直方向に、円筒形状のキャップ５０が接着されてなる。キャップ５０は、キャップ側部５２の上端を、環状のキャップ上部５１が覆うようにして構成されている。キャップ上部５１には、キャップ上部５１の厚さ方向に開口する貫通孔５３が形成されている。この貫通孔５３は、その内壁に反射部材７０を有し、さらに反射部材７０には透光性部材６０が固着して設けられている。反射部材７０は、キャップ側から順に、銀を含む第１層７１と、第１層７１の少なくとも一部を被覆し、銀と異なる金属を含む第２層７２と、第１層７１および第２層７２を被覆し、半導体発光素子１０からの光が透過可能な透過部材を含む第３層７３と、を有している。
【００１７】
また、キャップ５０の内部において、ステム底部３０の上面から直立して柱状のステム柱体２０が設けられる。ステム柱体２０の側面には、半導体発光素子１０がＡｕ−Ｓｎ等の接着部材を介して載置される。キャップ５０に覆われる半導体発光素子１０は、ワイヤ等を介して電気的にリード電極４０と接続されており、外部電極と接続可能となる（図示しない）。
ここで、ステム底部３０及びステム柱体２０とは、便宜上、場所に応じて個々に命名したものであって異部材とは限らない。両者は同一部材とすることも可能であり、これにより製品の部品点数を削減することができる。本明細書では、ステム底部３０とステム柱体２０とから構成される部材を台座と称す。
【００１８】
半導体発光素子１０は、キャップ５０内の幅方向（図１における左右方向）におけるほぼ中央部に位置される。従って、必然的に、半導体発光素子１０が載置されるステム柱体２０は、ステム底部３０の中央部より円周方向へ偏心した位置に載置されることになる。さらに、半導体発光素子１０は、光出射面を上面（図１における上側）に備えており、光出射面がキャップ上部５１と対向するよう離間して載置される。
また、半導体発光素子１０の出射光軸は、キャップ上部５１に形成された貫通孔５３の中心軸とほぼ重なる。つまり、半導体発光素子１０から出射される光が、貫通孔５３内に設けられた透光性部材６０を介して外部に放出される。
尚、本発明における半導体発光素子１０の光出射面とは、その面全てから光が出射されるものだけを意味するのではなく、面の一部から光が出射されるものも含む。
【００１９】
以上説明したように、第一の実施形態に係る半導体発光装置は、透光性部材６０に入射された光を、少なくとも透光性部材６０とキャップ５０との間に設けられた光反射部材７０によって効率良く反射させることができるため、光の取り出し効率を低下させることなく外部に放出することが可能となる。特に、反射率の高い銀を含む第１層７１の反射率を、第２層７２及び第３層７３で低下させることなく、かつ、第１層７１の劣化を抑制することができるため、高い光取り出し効率を維持することができる。
【００２０】
以下、本発明に係る実施形態の各構成について詳述する。
【００２１】
（反射部材）
反射部材は、透光性部材に入射された光を効率良く反射し、光の取り出し効率を低下させることなく外部に放出させるものである。このため、反射部材は、少なくとも透光性部材と、透光性部材が設けられるキャップと、の間に設けられている。
具体的には、本実施形態に示すように、キャップに形成された貫通孔の内壁に反射部材が設けられ、さらに反射部材の上に透光性部材を固着して設けられる。これにより、反射部材は、半導体発光素子からの光を、効率良く反射して透光性部材から外部に放出させることが可能となる。ただし、反射部材は、必ずしも貫通孔の内壁に設ける必要は無く、透光性部材が設けられる位置を適宜選択して設ければ良い。
さらに、図３に示すように、透光性部材とキャップとの間だけに限らず、キャップの上面にも反射部材を設けても良い。これにより、透光性部材からキャップの外部に放出された光やその戻り光が、キャップの上面で吸収および散乱されること無く反射することができる。また、透光性部材とキャップとの間に設けられた反射部材と、さらにキャップの上面に設けられた反射部材とは、連続して形成されていても良い。これにより、反射部材の機械的強度を向上することができるため、反射部材の剥離を防止することができる。ここで、本明細書において、キャップ上部を構成する面のうち、半導体発光素子側の面をキャップの下面とし、キャップの下面と対向する面をキャップの上面とする。
【００２２】
このような反射部材の構成としては、銀を有する第１層と、第１層の表面の少なくとも一部を覆い銀と異なる金属を含む第２層と、第１層と第２層とを覆い半導体発光素子からの光を透過可能な透過部材を含む第３層と、を有することを特徴とする。このような構成を有することにより、第１層の、特に銀を変質しにくくすることができるため、高い光取り出し効率を維持することができる。これにより、光源からの光の損失の少ない発光装置とすることができる。
【００２３】
また、反射部材は、スパッタ、真空蒸着、ＰＶＤ、イオンプレーティング、ＣＶＤなどの成膜方法や、電解鍍金、無電解鍍金、カップリング剤処理、電着塗装、上記金属元素の微粒子を含む樹脂ペーストを付着させるなどの方法により形成させることができる。
【００２４】
（反射部材：第１層）
反射部材の第１層は、銀を有するものである。銀単体で用いてもよく、あるいは、アルミニウム、銅、チタンなどとの合金としてもよい。この第１層は、キャップのうち、少なくとも透光性部材を有する領域のほぼ全体に設けるのが好ましい。これにより、効率良く光を反射することができる。第１層の膜厚としては、光を透過しない程度の厚さがあればよく、具体的には０．３μｍ〜１０μｍが好ましく、より好ましくは１μｍ〜５μｍが好ましい。第１層は、ほぼ均一な膜厚で形成するのが好ましい。
【００２５】
（反射部材：第２層）
反射部材の第２層は、第１層の表面の少なくとも一部を覆い銀と異なる金属を含むものである。第１層は銀を含む層であるため、水分や大気中の不純物などによって変質し易く、それによって反射率が低下する。そのために外部から銀を含む層を保護するための層を設けることが好ましいが、銀はそれらの保護層との密着性が高くないため、結局、隙間が生じてそこから変質するなどの問題がある。そこで、本発明のように第１層の上に、銀と異なる金属を含む第２層を設け、かつ、この第２層によって第１層の表面の物理的特性（または化学的特性）を変化させることで、第３層を密着性よく設けることができる。
【００２６】
第２層は、第１層の高い反射率を損なわないようにするために、第１層の一部を覆うように設けるのが好ましい。この場合の一部とは、第１層の表面を、密度の低い層で被覆するものを指す。すなわち、スパッタなどで金属層を薄く設けると、第１層の表面にまばらに金属が付着し、第２層の隙間から第１層が露出するようになる。このように、第１層の表面が完全に覆われるのではなく疎な第２層で覆うことで、第１層の反射率を低下させることなく、第１層の表面の物性を変化させることができる。あるいは、第１層の一部ではなく、全体を覆うように設けてもよい。その場合は、第１層の反射率を低下させない程度に、薄膜で設けるのが好ましい。これにより、上記と同様の効果を得ることができる。このように、第２層を設ける領域（一部又は全面）は、第１層や第３層の組成を考慮して適宜選択することができる。
【００２７】
また、膜厚についても、第１層の反射率を低下しにくいようにする必要があり、極薄くするのが好ましい。これらは、用いる部材によって、さらには、光源などの波長によっても異なるものであるが、おおよそ１Å〜２０Åが好ましく、より好ましくは２Å〜１０Å程度である。
【００２８】
第２層の部材としては、銀と異なる部材を有することが好ましく、さらに、第１層の反射率を低下させない部材が好ましい。第２層は、第１層の反射率を大きく低下させないように形成領域や膜厚を制御しているが、光学特性以外の特性、例えば、第１層や第３層との密着性などを考慮すると、あまり薄くすることができない場合などがある。その様な場合においても、光源からの光や、後述する波長変換部材からの光に対する反射率が、第１層と同程度か、低下させた場合でも約６０％程度となるようにするのが好ましい。あるいは、波長にもよるが、第１層よりも反射率が高くなるようにしてもよい。
【００２９】
このように、本発明において第２層は反射率などの光学特性を考慮して適宜材料を選択
するのが好ましく、導電性などについては特に限定されるものではない。すなわち、反射部材は、導電性のものであっても絶縁性のものであっても、反射部材としての機能さえ充足していればよい。ただし、１層目との密着性を考慮すると金属を含む材料が好ましい。具体的には、アルミニウム、ニッケル、チタン、タングステン、バナジウム、プラチナ、ロジウム、パラジウム、タンタル、金、ニオブ、モリブデン、イリジウム、コバルト、クロム、銅、ハフニウム、亜鉛、ジルコニウムなどを用いることができる。これらは単独で用いてもよいし、２種以上を混合させて用いてもよい。２種以上を用いる場合は、同時に設けてもよく、あるいは別工程で設けてもよい。
【００３０】
（反射部材：第３層）
反射部材の第３層は、第１層と第２層を覆い、半導体発光素子からの光を透過可能な透過部材を含むものである。特に、半導体発光素子からの光の透過率が７０％以上であるものが好ましい。これによって第１層によって反射された光を効率良く透過させることができる。
また、類似の物性を有する透光性部材を第３層に固着することにより、透光性部材とキャップとの密着性を向上することができ、耐環境性を高めることができる。
【００３１】
第３層は、主として第１層の変質を抑制する保護層として機能するものである。したがって、第１層の露出領域のほぼ全面を覆うような領域に設けるのが好ましい。具体的な、保護効果としては、第１層に含まれる銀を水分などから保護する他、銀が硫化等することにより劣化し、高い反射率が損なわれないようにすることができる。さらに、透光性部材を融着等して設ける際に発生する熱により、第１層が化学反応や拡散反応を起こし変色してしまうことを防止することができる。
【００３２】
第３層の材料としては、酸化物、窒化物、フッ化物、有機物（樹脂）などの透過部材を用いるのが好ましく、具体的にはＳｉＯ２、Ａｌ２Ｏ３、ＳｉＮ、ＩＴＯ、Ｓｉ３Ｎ４、ＳｉＯＮ，ＡｌＮ、ＡｌＯＮ、Ｉｎ２Ｏ３、ＳｎＯ２、ＴｉＯ２、ＺｎＯ、ＺｒＯ２、ＭｇＦ２、シリコーン樹脂、エポキシ樹脂などを用いるのが好ましい。また、これらは単独で用いてもよいし、２種以上を用いてもよい。
【００３３】
第３層の膜厚としては、半導体発光素子からの光を透過可能な程度で、かつ、外部から水分などが浸入しにくい程度に設ける必要がある。具体的には０．００５μｍ〜０．５μｍが好ましく、より好ましくは０．０１μｍ〜０．３μｍである。
【００３４】
（半導体発光素子）
半導体発光素子としては発光ダイオード、半導体レーザ素子など種々のものが利用できる。半導体レーザ光は指向性が高いため、光を一方向へ導波しやすい。したがって、半導体レーザ素子からの出射光を高効率で半導体発光装置の外部へ取り出すことが可能となる。半導体レーザ素子としては特に限定せずｎ型半導体層とｐ型半導体層との間に活性層を形成し、この活性層が多重量子井戸構造、又は単一量子井戸構造をなすものである。また、青色系半導体レーザ素子であれば、ＩＩＩ族窒化物半導体より形成されるのが好ましい。
【００３５】
この他、半導体発光素子に発光ダイオードを使用する場合、端面発光型のものが好適
である。端面発光型ダイオードとは、発光ダイオードを構造面から分類した場合の一種で
、半導体レーザと同じように活性層の端面から光を取り出すものをいう。これは、活性層
の屈折率を高くして光導波作用を起こさせることで、端面から光を出力させることを可能
にしている。このように出力面積を絞ることで、半導体発光素子からの出力光を、後述
する貫通孔内へ導波させやすくすることができる。ひいては、半導体発光素子からの
光取り出し効率を高められる。
【００３６】
さらに、半導体発光素子は、使用の際に発生した熱が素子内に蓄熱されると、その特性が悪化し、またライフ寿命が低減する。これを防止するため、半導体発光素子から生じた熱は、機械的及び電気的に接続されるリード電極、ステム柱体及びステム底部に伝導され、外気へと放出される構造をとる。特に、ステム底部及びステム柱体はヒートシンクの役割を担っており、放熱効果を奏す。
【００３７】
したがって、ステム底部及びステム柱体から構成される台座は、熱媒体となりうるよう、その材質は熱伝導率の良いものが好ましい。具体的には銅、真鍮、タングステン、アルミニウム、銅・タングステン合金などが挙げられる。また、ステム底部は、後述するキャップと接着されるため、キャップの材質及びこれとの密着性を考慮して決定すればよい。
【００３８】
（キャップ）
キャップは、台座に設けられ、少なくとも半導体発光素子を外部から保護するためのものである。このため、台座およびキャップの形状は、半導体発光素子を保護できる形状であれば特に限定されない。例えば、ステム底部を、内部に空洞を有する略筒状とし、その上部を閉塞するキャップを略円盤状とすることもできる。
【００３９】
本実施形態に係る発光装置では、半導体発光素子の光出射方向側からみて、キャップ上部５１の上面（キャップ５０の上面）のほぼ中央に、キャップの内外と開通した貫通孔が形成されている。貫通孔の開口幅における中心軸は、半導体発光素子からの光出射軸とほぼ同一である。これにより、半導体発光素子からの出射光は、貫通孔内を進行する。進行した光は、直進または、貫通孔の内壁に１回或いは複数回反射されながら導波され、キャップの外部へと出射される。
さらに、キャップには、キャップに形成された貫通孔を塞ぐように透光性部材を有しており、貫通孔内を進行した光が透光性部材を介して外部に放出される。また、キャップは、少なくとも透光性部材との間に、半導体発光素子からの光を反射する反射部材を有している。これにより、透光性部材に入射された光を効率良く反射し、光の取り出し効率を低下させることなくキャップ外部に放出することができる。
【００４０】
また、キャップに形成された貫通孔は、半導体発光素子からの光が透過可能であればその大きさや形状については特に限定されるものではない。好ましくは、貫通孔の開口幅をテーパー状に一方向に変化させることが好ましい。
本実施形態において、貫通孔の内壁は、逆円錐台形状をなしており、光進行方向にしたがって内径が大きくなっている。貫通孔の開口形状は、円形に限定されず、楕円形或いは多角形でも良い。さらに、貫通孔の開口形状は、入光側と出光側で異なる開口形状を有していてもよい。例えば、半導体発光素子の出射面の形状に適合させて、入光側を矩形とし、出光側を円形とすれば、半導体発光素子の出射面の形状に依存せず、出光側からは円形状の出射光を得ることができる。
このような形状の貫通孔を形成することで、一旦貫通孔内に進入した光が、再び発光素子側に逆戻りすることを抑制することができる。これにより、本実施形態に係る発光装置は、光取り出し効率を向上することができる。
【００４１】
また、貫通孔の数については、本実施形態では１つの貫通孔を形成したものを例示しているが、これに限らず、２以上の複数個設けてもよい。例えば、複数の光源を用いる場合などは、貫通孔を複数形成してそれぞれの光を独立して放出させるようにすることもできる。
【００４２】
このようなキャップの材料としては、特に限定されるものではないが、熱伝導率の高いものが好ましい。これは、透光性部材や、その中に含有させる蛍光部材などに、光源からの光や反射部材によって反射された光などが照射されるときに発熱を伴う場合がある。そのような場合、色度が変化したり光度が低下したりするなどの変質の原因となりやすいため、キャップの材料を少なくとも透光性部材や蛍光部材よりも熱伝導率の高い部材とするのが好ましい。このような材料として、具体的には金属(ステンレス、銅、真鍮、コバール、アルミニウム、銀等)、アルミナ(Ａｌ２Ｏ３)、炭化珪素(ＳｉＣ)、ＣｕＷ、Ｃｕダイヤモンド、ダイヤモンドなどが挙げられる。
また、キャップには、反射部材が設けられる領域に、反射部材との密着性を向上させる密着層を配置することができる。このような密着層としては、アルミニウム、ニッケル、チタン、タングステン、バナジウム、プラチナ、ロジウム、パラジウム、タンタル、金、ニオブ、モリブデン、イリジウム、コバルト、クロム、銅、ハフニウム、亜鉛、ジルコニウムなどを用いることができる。また、これらは単独（又は単層）で用いてもよいし、２種以上（又は２層以上）を用いてもよい。
【００４３】
（透光性部材）
透光性部材は、半導体発光素子からの光を透過して、キャップ外部に光を放出させるためのものである。透光性部材の形状は、特に限定されず、ボールレンズや非球面レンズなど適宜用いることができる。
【００４４】
本実施形態において、透光性部材は、キャップに形成された貫通孔を塞ぐように、液状の材料を流し込み固化して形成されたものである。つまり、透光性部材の形状は、貫通孔の形状を適宜変更することにより、容易に選択することができる。本実施形態では、貫通孔の形状を逆円錐台形状としている。これにより、透光性部材は、半導体発光素子の光出射方向にしたがって内径が大きくなるように形成することができる。よって、本実施形態に係る発光装置は、光取り出し効率を高めることができる。
一方、透光性部材を、半導体発光素子の光出射方向にしたがって内径が小さくなるように形成する場合は、以下の方法を用いることが好ましい。まず、透光性部材を円錐台形状に形成し、そのサイズよりも一回り小さく円錐台形状の貫通孔をキャップに形成する。次に、形成された透光性部材を、半導体発光素子側から貫通孔内に圧入することにより固定する。これにより、透光性部材は、貫通孔の内壁に係り止めすることができ、透光性部材がキャップから脱落することを防止することができる。
【００４５】
さらに、図４に示すように、透光性部材には、後述する波長変換部材や拡散部材などを含有させることができる。これにより、透光性部材に入射された光が、波長変換部材や拡散部材により乱反射されるため、光が反射部材に照射され易くなる。このため、光取り出し効率を向上させる本願発明の効果をさらに有効に得ることができる。
このような透光性部材の材料としては、光源や波長変換部材および拡散部材からの光を吸収しにくい部材を用いるのが好ましい。具体的には、石英ガラス、ホウケイ酸ガラス、低融点ガラス、シリコーン樹脂、エポキシ樹脂などとしてもよいし、アルミナ等のセラミック材を用いることができる。
【００４６】
（波長変換部材）
波長変換部材は、半導体発光素子からの光の少なくとも一部を吸収し、吸収した光を異なる波長に変換することができるものである。つまり、波長変換部材により波長変換された光と、半導体発光素子からの光との混色光を外部に取り出すことが可能となる。
さらに、波長変換部材は、透光性部材に含有させる他、半導体発光素子からの光が照射されるように半導体発光素子の近傍に設けることもできる。
【００４７】
波長変換部材としては、半導体発光素子からの光を、より長波長に変換させるものの方が効率がよい。波長変換部材は、１種の蛍光物質等を単層で形成してもよいし、２種以上の蛍光物質等が混合された単層を形成してもよいし、１種の蛍光物質等を含有する単層を２層以上積層させてもよいし、２種以上の蛍光物質等がそれぞれ混合された単層を２層以上積層させてもよい。
【００４８】
このような波長変換部材の材料としては、例えば、Ｅｕ、Ｃｅ等のランタノイド系元素で主に賦活される窒化物系蛍光体・酸窒化物系蛍光体、Ｅｕ等のランタノイド系、Ｍｎ等の遷移金属系の元素により主に賦活されるアルカリ土類ハロゲンアパタイト蛍光体、アルカリ土類金属ホウ酸ハロゲン蛍光体、アルカリ土類金属アルミン酸塩蛍光体、アルカリ土類ケイ酸塩、アルカリ土類硫化物、アルカリ土類チオガレート、アルカリ土類窒化ケイ素、ゲルマン酸塩、又は、Ｃｅ等のランタノイド系元素で主に賦活される希土類アルミン酸塩、希土類ケイ酸塩又はＥｕ等のランタノイド系元素で主に賦活される有機及び有機錯体等から選ばれる少なくともいずれか１以上であることが好ましい。
【００４９】
（拡散部材）
拡散部材は、半導体発光素子および波長変換部材からの光を拡散することができれば良く、半導体発光素子の発光波長や透光性部材の屈折率などにより適宜選択することができる。
このような拡散部材の材料としては、ＳｉＯ２、Ａｌ２Ｏ３、ＳｉＮ、ＭｇＯ、Ｓｉ３Ｏ２、ＳｉＣ、ＡｌＮ、ダイヤモンド、Ａｇ、Ａｌ、Ａｕ、Ｃｕ、Ｗ、Ｍｇ等が挙げられる。
【００５０】
拡散部材は、蛍光体等の波長変換部材と併用することで、半導体発光素子及び蛍光体からの光を良好に乱反射させ、大きな粒径の蛍光体を用いることによって生じやすい色ムラを抑制することができるので、好適に使用できる。また、発光スペクトルの半値幅を狭めることができ、色純度の高い発光装置が得られる。一方、１ｎｍ以上１μｍ未満の拡散物質は、半導体発光素子からの光波長に対する干渉効果が低い反面、透明度が高く、光度を低下させることなく透光性部材の粘度を高めることができる。
【００５１】
＜第二の実施形態＞
図５は、本発明に係る第二の実施形態の発光装置を模式的に示す概略図である。
【００５２】
また、第二の実施形態に係る発光装置は、透光性部材６０がキャップ５０の上面よりも突出するように設けられている点、および、キャップ５０の上面にも反射部材７０を有している点以外は、第一の実施形態と実質的に同様の構造を有している。なお、同じ構造については説明を省略する部分もある（以下の実施形態、実施例でも同様とする）。
【００５３】
第二の実施形態に係る発光装置は、リード電極４０と、ステム底部３０およびステム柱体２０により構成される台座と、半導体発光素子１０と、キャップ５０と、透光性部材６０と、反射部材７０と、を備えて構成される。
【００５４】
本実施形態において、台座には、半導体発光素子１０が載置されており、さらに半導体発光素子１０を覆うようにキャップ５０が設けられている。キャップ５０にはキャップの上面から下面にかけて連続した貫通孔５３が形成されており、その貫通孔内には透光性部材６０を有している。このとき透光性部材６０は、キャップ５０の上面よりも突出するように配置されている。透光性部材６０とキャップ５０との間には、少なくとも半導体発光素子１０からの光を反射する反射部材７０を有している。さらに反射部材７０は、キャップ５０の上面にも延在して設けられている。
さらに、本実施形態に係る発光装置を半導体発光素子１０の光出射方向からみて、キャップ５０の上面には、透光性部材６０により覆われた部分と、透光性部材６０から露出して反射部材７０により覆われた部分を有している。
【００５５】
また、本実施形態では、貫通孔内にも透光性部材６０を有しているが、図６に示すように、透光性部材６０を貫通孔内に配置することなく、キャップ５０の上面に固着しても良い。
【００５６】
以上により、第二の実施形態に係る発光装置は、第一の実施形態と同様の効果を有する。さらに、第二の実施形態に係る発光装置では、透光性部材６０から外部に放出された光を、キャップ上面に有する反射部材７０にて反射させることができる。このため、キャップ上面においても吸収および散乱の発生を抑制することができ、光の取り出し効率を向上させることができる。また、透光性部材６０の形状を適宜変更することにより、第二の実施形態に係る発光装置から放出される光の配光を広げることができる。
【００５７】
＜第三の実施形態＞
図７は、本発明に係る第三の実施形態の発光装置を模式的に示す概略図である。
【００５８】
また、第三の実施形態に係る発光装置は、キャップ５０の上面に第２の透光性部材６５が設けられている点、および、キャップ５０の上面にも反射部材７０を有している点以外は、第一の実施形態と実質的に同様の構造を有している。
【００５９】
第三の実施形態に係る発光装置は、リード電極４０と、ステム底部３０およびステム柱体２０により構成される台座と、半導体発光素子１０と、キャップ５０と、第１の透光性部材６０と、第２の透光性部材６５と、反射部材７０と、を備えて構成される。
【００６０】
本実施形態において、台座には、半導体発光素子１０が載置されており、さらに半導体発光素子１０を覆うようにキャップ５０が設けられている。キャップ５０にはキャップの上面から下面にかけて連続した貫通孔５３が形成されている。貫通孔５３の内壁には反射部材７０を有しており、その反射部材７０には第１の透光性部材６０が固着して設けられている。また、反射部材７０は、キャップ５０の上面にも延在して設けられている。キャップ５０の上面に設けられた反射部材７０には、第２の透光性部材６５が固着して設けられている。このとき、第２の透光性部材６５は、第１の透光性部材６０との間に界面を有すること無く固着されるのが好ましい。これにより、界面で発生する屈折率差により、半導体発光素子１０からの光の取り出し効率が低下することを抑制することができる。さらに、第２の透光性部材６５の形状は、半球形状を有している。これにより、半導体発光素子１０からの光を効率よく外部に取り出すことができる。ただし、透光性部材６５の形状は、半球形状に限定されず、本実施形態に係る発光装置の用途により適宜変更することができる。また、第２の透光性部材６５は、第１の透光性部材６０よりも光の屈折率が大きいことが好ましい。これにより、本実施形態に係る発光装置の光取り出し効率を向上することができる。
【００６１】
以上により、第三の実施形態に係る発光装置は、第一の実施形態と同様の効果を有する。また、第三の実施形態に係る発光装置は、光取り出し効率をさらに向上させることができる。
【００６２】
＜第四の実施形態＞
図８は、本発明に係る第四の実施形態の発光装置を模式的に示す概略図である。
【００６３】
また、第四の実施形態に係る発光装置は、第２の透光性部材６５および反射部材７０をキャップ５０の下面に有している点以外は、第三の実施形態と実質的に同様の構造を有している。
【００６４】
第四の実施形態に係る発光装置は、リード電極４０と、ステム底部３０およびステム柱体２０により構成される台座と、半導体発光素子１０と、キャップ５０と、第１の透光性部材６０と、第２の透光性部材６５と、反射部材７０と、を備えて構成される。
【００６５】
本実施形態において、台座には、半導体発光素子１０が載置されており、さらに半導体発光素子１０を覆うようにキャップ５０が設けられている。キャップ５０にはキャップの上面から下面にかけて連続した貫通孔が形成されている。貫通孔５３の内壁には反射部材７０を有しており、その反射部材７０には第１の透光性部材６０が固着して設けられている。また、反射部材７０は、キャップ５０の下面にも延在して設けられている。キャップ５０の下面に設けられた反射部材７０には、第２の透光性部材６５が固着されてキャップ内壁部に設けられている。これにより、第２の透光性部材は強固にキャップと接合される。さらに、第1の透光性部材６０と第２の透光性部材６５とが接合されることにより、接合部面積が増加し、第1の透光性部材６０とキャップ５０をより強固に接合させることができる。また、第２の透光性部材６５は、第１の透光性部材６０との間に界面を有すること無く固着されるのが好ましい。これにより、界面で発生する屈折率差により、半導体発光素子１０からの光の取り出し効率が低下することを抑制することができる。また、第２の透光性部材６５の形状は、平板形状を有している。ただし、第２の透光性部材６５の形状は、特に限定されず、本実施形態に係る発光装置の用途により適宜変更することができる。また、第２の透光性部材６５は、第１の透光性部材６０よりも光の屈折率が小さいことが好ましい。これにより、本実施形態に係る発光装置の光取り出し効率を向上することができる。
【００６６】
以上により、第四の実施形態に係る発光装置は、第三の実施形態と同様の効果を有する。
【００６７】
＜第五の実施形態＞
図９は、本発明に係る第五の実施形態の発光装置を模式的に示す概略図である。
【００６８】
また、第五の実施形態に係る発光装置は、第２の反射部材７６、第２のキャップ５６を有している点以外は、第四の実施形態と実質的に同様の構造を有している。
【００６９】
第五の実施形態に係る発光装置は、リード電極４０と、ステム底部３０およびステム柱体２０により構成される台座と、半導体発光素子１０と、第1のキャップ５０と、第２のキャップ５６と、第１の透光性部材６０と、第２の透光性部材６６と、第1の反射部材７０と、第２の反射部材７６と、を備えて構成される。
【００７０】
本実施形態において、台座には半導体発光素子１０が載置されており、さらに台座に第２のキャップ５６が接合されている。第２のキャップ５６には、上面から下面にかけて連続した第２の貫通孔が形成されている。第２の貫通孔は、その内壁に第２の反射部材７６を有している。第２の反射部材７６には、第２の透光性部材６６が固着して設けられている。このとき、半導体発光素子１０と第２の透光性部材６６とは、界面を有することなく固着されていることが好ましい。
さらに、本実施形態は、第２のキャップ５６を囲うように第１のキャップ５０が台座に設けられている。第１のキャップ５０には、第２の貫通孔の開口径と同じか、それ以上の径を有する第１の貫通孔が形成されている。第１の貫通孔の内壁には、第１の反射部材７０を有している。第１の反射部材７０は、第１のキャップ５０の内壁部にも延在して設けられている。さらに、第１の反射部材７０には、第１の透光性部材６０が固着して設けられている。このとき、第１の透光性部材６０は、第１のキャップ５０の内壁部に配置されている。また、第１および２の透光性部材６０、６６の形状は、特に限定されず、本実施形態に係る発光装置の用途により適宜変更することができる。また、第２の透光性部材６６は、第１の透光性部材６０よりも光の屈折率が小さいことが好ましい。これにより、本実施形態に係る発光装置の光取り出し効率を向上させることができる。
【００７１】
以上により、第五の実施形態に係る発光装置は、第四の実施形態と同様の効果を有する。また、第五の実施形態に係る発光装置は、第２のキャップ５６と台座とが接合されている。これにより、第２のキャップ５６から台座に直接熱を逃がすことができる。さらに、第１のキャップ５０が、第２のキャップ５６を保護することにより、耐環境性をより向上させることができる。
【００７２】
＜第六の実施形態＞
図１０は、本発明に係る第六の実施形態の発光装置を模式的に示す概略図である。
【００７３】
また、第六の実施形態に係る発光装置は、反射部材の構造以外は、第一の実施形態と実質的に同様の構造を有している。
【００７４】
第六の実施形態に係る発光装置は、リード電極４０を有するステム底部３０と、ステム底部３０に設けられるステム柱体２０と、ステム柱体２０に載置される半導体発光素子１０と、半導体発光素子１０を覆うようにステム底部３０に設けられるキャップ５０と、半導体発光素子１０からの光が外部に放出されるようにキャップ５０に設けられる透光性部材６０と、少なくとも透光性部材６０とキャップ５０との間に設けられ、半導体発光素子１０からの光を反射する反射部材１００と、を備えて構成される。
さらに具体的には、本実施形態に係る反射部材１００は、銀及び銀と異なる金属から構成される合金層１１０と、その合金層１１０を被覆し、かつ半導体発光素子１０からの光が透過可能な光透過層１２０と、をキャップ側から順に有している。
【００７５】
本実施の形態において、合金層１１０は、銀の高い反射率を維持することができると共に、光透過層１２０との密着性にも優れているものが好ましい。
このような合金層１１０を構成する銀と異なる金属（異種金属）としては、耐環境性に優れ、光透過層１２０との密着性にも優れているものが好ましく、例えばＡｌ、Ａｕ、Ｉｎ、Ｓｉ、Ｃｕ、Ｗ、Ｐｄ、Ｚｎ、Ｐｔ、Ｒｈ、Ｓｎ、Nｄ、Biなどが挙げられる。これにより、合金層１１０と光透過層１２０との密着性を向上させるための層を新たに設ける必要がなく、製造工程を簡略化することができる。
また、光透過層１２０は、合金層１１０を覆い、半導体発光素子１０からの光を透過可能な部材から構成されるものである。特に、半導体発光素子１０からの光の透過率が７０％以上であるものが好ましい。さらに、光透過層１２０は、主として合金層１１０の変質を抑制する保護層として機能するものであり、酸化物、窒化物、フッ化物、有機物（樹脂）などを用いることができる。具体的には、ＳｉＯ２、Ａｌ２Ｏ３、ＳｉＮ、ＩＴＯ、Ｓｉ３Ｎ４、ＳｉＯＮ，ＡｌＮ、ＡｌＯＮ、Ｉｎ２Ｏ３、ＳｎＯ２、ＴｉＯ２、ＺｎＯ、ＺｒＯ２、ＭｇＦ２、シリコーン樹脂、エポキシ樹脂などが挙げられる。また、これらは単独で用いてもよいし、２種以上を用いてもよい。
【００７６】
以上の構成により、本実施形態に係る発光装置は、透光性部材に入射された光を、少なくとも透光性部材とキャップとの間に設けられた反射部材によって効率良く反射させることができるため、光の取り出し効率を低下させることなく外部に放出することが可能となる。特に、銀が異種金属と合金化されていることによって、銀の劣化を抑制することができる（高い光取り出し効率を維持することができる）と共に、光透過層との密着性をも向上させることができる。
【実施例１】
【００７７】
＜実施例１＞
実施例１として、第一の実施形態に係る発光装置を用いて説明する。
【００７８】
実施例１は、リード電極４０と、ステム底部３０およびステム柱体２０により構成される台座と、半導体発光素子１０と、キャップ５０と、透光性部材６０と、反射部材７０と、波長変換部材８０と、を備えて構成される。
なお、リード電極４０、ステム底部３０およびステム柱体２０として銅（Ｃｕ）、半導体発光素子１０としてレーザダイオード（ＬＤ）、キャップ５０としてコバール（Ｋｒ）、透光性部材６０としてホウケイ酸ガラス、波長変換部材８０としてイットリウム・アルミニウム酸化物系の蛍光体（ＹＡＧ蛍光体）、を用いる。反射部材７０としては、第１層７１に銀（Ａｇ）、第２層７２にアルミニウム（Ａｌ）、第３層７３にシリカ（ＳｉＯ２）を用いる。
【００７９】
本実施例において、リード電極４０を有する台座には、半導体発光素子１０が載置されており、さらに半導体発光素子１０を覆うようにキャップ５０が設けられる。半導体発光素子１０は、リード電極４０とワイヤ（図示しない）により電気的に接続される。キャップ５０には、キャップ５０の上面から下面にかけて連続した貫通孔５３が形成される。貫通孔５３の内壁は、逆円錐台形状をなしており、反射部材７０が設けられる。反射部材７０は、貫通孔５３の内壁を被覆する第１層７１と、第１層７１が部分的に露出されるように第１層７１を被覆する第２層７２と、第１層７１と第２層７２とを被覆する第３層７３と、により構成される。反射部材７０の第３層７３には、波長変換部材８０を含有した透光性部材６０が固着して設けられる。
【００８０】
以上のようにして作成された発光装置は、透光性部材６０に入射された半導体発光素子１０および波長変換部材８０からの光を、少なくとも透光性部材６０とキャップ５０との間に設けられた反射部材７０によって効率良く反射させることができる。このため、光の取り出し効率を低下させることなく外部に放出することが可能となる。
特に、反射率の高い銀を有する第１層の反射率を、第２層及び第３層で低下させることなく、かつ、第１層の劣化を抑制することができるため、高い光取り出し効率を維持することができる。
また、本実施例では、透光性部材としてホウケイ酸ガラス、反射部材第３層としてシリカを用いており、同ホウケイ酸ガラスは溶融させて同反射部材上に固着させている。これにより、両者を強固に接着することができ、かつキャップ内部に窒素ガスを封入することができるので、非常に優れた環境性を得ることができる。
【産業上の利用可能性】
【００８１】
本発明の発光装置は、照明用光源、各種インジケーター用光源、車載用光源、ディスプレイ用光源、液晶のバックライト用光源等に利用することができる。
【図面の簡単な説明】
【００８２】
【図１】本発明に係る第一の実施形態の発光装置を模式的に示す概略図である。
【図２】図１の発光装置に用いられるキャップ５０を拡大して模式的に示す概略図である。
【図３】図２のキャップにおける他の実施形態を模式的に示す概略図である。
【図４】図２のキャップにおける他の実施形態を模式的に示す概略図である。
【図５】本発明に係る第二の実施形態の発光装置を模式的に示す概略図である。
【図６】図５のキャップにおける他の実施形態を模式的に示す概略図である。
【図７】本発明に係る第三の実施形態の発光装置を模式的に示す概略図である。
【図８】本発明に係る第四の実施形態の発光装置を模式的に示す概略図である。
【図９】本発明に係る第五の実施形態の発光装置を模式的に示す概略図である。
【図１０】本発明に係る第六の実施形態の発光装置を模式的に示す概略図である。
【図１１】従来の発光装置を模式的に示す概略図である。
【符号の説明】
【００８３】
１０、１１０・・・半導体発光素子
２０、１２０・・・ステム柱体
３０、１３０・・・ステム底部
４０、１４０・・・リード電極
５０、５６、１５０・・・キャップ
５１・・・キャップの上部
５２・・・キャップの側部
５３・・・貫通孔
６０、６５、６６、１６０・・・透光性部材
７０、７６・・・反射部材
７１・・・反射部材の第１層
７２・・・反射部材の第２層
７３・・・反射部材の第３層
８０・・・波長変換部材
９０・・・拡散部材
１１０・・・合金層
１２０・・・光透過層
【図１】
0004983613.tif 000002
【図２】
0004983613.tif 000003
【図３】
0004983613.tif 000004
【図４】
0004983613.tif 000005
【図５】
0004983613.tif 000006
【図６】
0004983613.tif 000007
【図７】
0004983613.tif 000008
【図８】
0004983613.tif 000009
【図９】
0004983613.tif 000010
【図１０】
0004983613.tif 000011
【図１１】
0004983613.tif 000012